(57)【要約】【課題】浴室にて使用されるサウナ装置において、サウナ運転終了後短時間で、かつ使用者に不快な感じを与えず排水することを目的とする。【解決手段】加湿部１と加湿部１に温水を循環供給する循環手段３と給水手段５と排水手段６とタンク７を備えたサウナ装置８を構成し、サウナ運転終了後タンク７および循環供給する温水回路２の高温の温水を排水する際に、給水手段５から水を供給することで強制的に冷却し、サウナ運転終了後短時間でかつ安全に排水できる。【選択図】図１
2005245812.tif 000002
【特許請求の範囲】
【請求項１】
空気を加熱加湿する加湿部と、前記加湿部へ温水を循環供給する温水回路と、前記温水回路の温水を循環する循環手段と、前記温水回路の温水を加熱する熱交換器と、前記温水回路の水を供給する給水手段と、前記温水を排水する排水手段と、前記温水を貯水するタンクを備え、このタンクの温水を排水する際に、前記タンクの高温状態の温水に前記給水手段から水を供給し、前記温水を所定の温度にした後に排水を行なうことができる構成としたサウナ装置。
【請求項２】
タンク内の温水の量を検知する水量検出手段を備え、前記タンクの温水の量から決まる適量の水を、給水手段から供給することができる構成とした請求項１記載のサウナ装置。
【請求項３】
発音部または発光部からなる注意喚起手段と、前記注意喚起手段と電気接続した注意喚起制御装置と、前記注意喚起制御装置と電気接続した排水手段を備え、前記注意喚起手段により排水の開始を使用者に知らせることができる構成とした請求項１または２記載のサウナ装置。
【請求項４】
人検出手段と、この人検出手段と電気接続した人感制御装置と、前記人感制御装置と電気接続した排水手段を備え、前記人検出手段により使用者の有無を検知し、使用者がいる時には排水を行なわないようにすることができる構成とした請求項１または２記載のサウナ装置。
【請求項５】
水を誘導する機能を備えた排水誘導手段を排水手段の末端へ備え、前記排水誘導手段を介して排水する構成とした請求項１から４のいずれかに記載のサウナ装置。
【請求項６】
水を保有しつつ下方へ水を流す排水保有部を排水誘導手段に備え、排水の着水箇所を任意の位置にできる構成とした請求項５記載のサウナ装置。
【発明の詳細な説明】
【技術分野】
【０００１】
本発明は、浴室に設置したサウナ装置の排水方法、および排水機構に関する。
【背景技術】
【０００２】
従来、この種のサウナ装置は、サウナ運転終了後に、排水するものが知られていた（例えば特許文献１参照）。
【０００３】
以下、そのサウナ装置について図８を参照しながら説明する。
【０００４】
図に示すように、サウナ装置１０１は温水を貯水するタンク１０２と、タンク１０２に水を供給する給水手段１０３と、タンク１０２で貯水した温水を排水する水路となる排水管１０４と、排水管１０４から温水を排水する排水弁１０５と、タンク１０２に貯水した温水の温度を検出する温度センサ１０６を備え、サウナ運転終了後、温度センサ１０６にて検知した温水温度が所定の温度（例として３０℃以下）になった時点で、排水弁１０５を開き排水管１０４から排水を開始していた。
【特許文献１】特開２００１−１４５６８３号公報（段落番号００２６、００４７、図１）
【発明の開示】
【発明が解決しようとする課題】
【０００５】
このような従来のサウナ装置の排水方法では、タンクの温水の温度が、周囲温度による自然冷却によって所定の温度以下になるまでの間は排水せず、サウナ運転終了後から排水終了までの時間を要し、タンク内に菌が繁殖しやすいという課題があった。
【０００６】
また、使用間隔が短時間の際には、サウナ運転終了後排水はせずに連続的に使用されて、タンク内に菌が繁殖しやすいという課題があった。
【０００７】
本発明は、上記従来の課題を解決するもので、タンクの温水を短時間に所定の温度にした後に排水し、タンク内の菌の繁殖を防ぐことを目的としている。
【０００８】
また、浴室に排水する際に、使用者に水がかかり不快を感じるという課題があった。
【０００９】
本発明は、排水する際に水が使用者にかからないようにしたサウナ装置を提供することを目的としている。
【００１０】
また、浴室に排水する際に、水を床に直接落下させ排水することから、水が床に当たる際に衝突音が発生するという課題や、排水管から排出された水が拡がりつつ落下し、更に水が床に当った衝撃により飛散することで、広い面積を濡らすという課題があった。
【００１１】
本発明は、浴室に排水する際に、衝突音の発生や床面を濡らすのを防ぐことができるサウナ装置を提供することを目的としている。
【課題を解決するための手段】
【００１２】
本発明のサウナ装置は、上記目的を達成するために、空気を加熱加湿する加湿部と、前記加湿部へ温水を循環供給する温水回路と、前記温水回路の温水を循環する循環手段と、前記温水回路の温水を加熱する熱交換器と、前記温水回路の水を供給する給水手段と、前記温水を排水する排水手段と、前記温水を貯水するタンクを備え、このタンクの温水を排水する際に、前記タンクの高温状態の温水に前記給水手段から水を供給し、前記温水を所定の温度にした後に排水を行なうことができる構成としたものである。
【００１３】
この手段により、サウナ運転終了後、タンク内の高温の温水を強制的に冷却して、排水することができるサウナ装置が得られる。
【００１４】
また、他の手段は、タンク内の温水の量を検知する水量検出手段を備え、前記タンクの温水の量から決まる適量の水を、給水手段から供給することができる構成としたものである。
【００１５】
この手段より、タンクの温水の量を検出し、前記温水の量に対して適当な水の量を、給水手段から供給することができるサウナ装置が得られる。
【００１６】
また、他の手段は、発音部または発光部からなる注意喚起手段と、前記注意喚起手段と電気接続した注意喚起制御装置と、前記注意喚起制御装置と電気接続した排水手段を備え、前記注意喚起手段により排水の開始を使用者に知らせることができる構成としたものである。
【００１７】
この手段により、浴室に排水を開始する際に使用者に注意喚起することができるサウナ装置が得られる。
【００１８】
また、他の手段は、人検出手段と、この人検出手段と電気接続した人感制御装置と、前記人感制御装置と電気接続した排水手段を備え、前記人検出手段により使用者の有無を検知し、使用者がいる時には排水を行なわないようにすることができる構成としたものである。
【００１９】
この手段により、浴室に排水する際に使用者がいる場合は排水を行なわないサウナ装置が得られる。
【００２０】
また、他の手段は、水を誘導する機能を備えた排水誘導手段を排水手段の末端へ備え、前記排水誘導手段を介して排水する構成としたものである。
【００２１】
この手段により、浴室に排水する水を集約しつつ浴室床まで水を誘導することができるサウナ装置が得られる。
【００２２】
また、他の手段は、水を保有しつつ下方へ水を流す排水保有部を排水誘導手段に備え、排水の着水箇所を任意の位置にできる構成としたものである。
【００２３】
この手段により、排水の着水位置を排水手段末端の垂直下方以外に設定することができるサウナ装置が得られる。
【発明の効果】
【００２４】
本発明によれば、サウナ運転終了後、タンク内の高温の温水を強制的に冷却し、サウナ運転終了後から排水終了までを短時間で行なうことができるサウナ装置を提供できる。
【００２５】
また、短時間の運転間隔においても排水を行なうことができ、使用終了後に速やかにタンク内を空にすることで、タンク内を衛生的に保つことができるサウナ装置を提供できる。
【００２６】
また、温水回路およびタンクの温水を所定の温度にするために、適量の水をタンクに供給することができるサウナ装置を提供できる。
【００２７】
また、浴室に排水する際に、使用者に水がかかるのを抑制することができるサウナ装置を提供できる。
【００２８】
また、排水の水が床に当たる際に発生する衝突音と飛散を抑制することができるサウナ装置を提供できる。
【００２９】
また、排水の着水位置による施工制限がなくなることにより、施工性の良いサウナ装置を提供できる。
【発明を実施するための最良の形態】
【００３０】
以下、本発明の実施の形態について図面を参照しながら説明する。
【００３１】
（実施の形態１）
図１に示すように、空気を加熱加湿する加湿部１と、加湿部１へ温水を循環供給する温水回路２と、温水回路２の温水を循環する循環手段としてのポンプ３と、温水回路２の温水を加熱する熱交換器４と、温水回路の水を供給する給水手段としての電磁弁Ａ５と、温水を排水する排水手段としての電磁弁Ｂ６と、温水を貯水するタンク７を備えたサウナ装置８を構成する。
【００３２】
上記構成により、サウナ運転終了後、タンク７の温水を排水する際に、タンク７の高温状態の温水に電磁弁Ａ５から水を供給し、ポンプ３により温水回路２およびタンク７の高温の温水を循環しながら、所定の温度にする。
【００３３】
そして、所定の温度となったタンク７の水を、排水管（図示せず）の末端に接続した電磁弁Ｂ６より排水することで、タンク内の菌の繁殖を防ぎ、排水管に高温によるストレスを与えることなく、また、浴室に直接排水する際には、使用者が高温で火傷をすることなく排水することができる。
【００３４】
なお、本実施の形態１では、循環手段としてポンプ、給水手段として電磁弁Ａ、排水手段として電磁弁Ｂを用いたが、同様の作用効果をもたらすものであれば、これに限るものではない。
【００３５】
（実施の形態２）
図２に示すように、水量検出手段としての水位センサ９をタンク７ａ内に備え、給水手段としての電磁弁Ａ５、排水手段としての電磁弁Ｂ６、および水位センサ９と電気的に接続した制御装置１０を要し、制御装置１０により、タンク７ａの温水の量を感知できるサウナ装置８ａを構成する。
【００３６】
上記構成により、サウナ運転終了後、タンク７ａの温水の量を水位センサ９が検知し、電気信号によって制御装置１０に伝達し、検知した温水の量によって、制御装置１０が循環する温水回路２およびタンク７ａの温水が所定の温度になる為の適量の水量を決定する。
【００３７】
そして、制御装置１０が決定した水量をタンクに供給するため、制御装置１０から電気信号によって給水手段としての電磁弁Ａ５に伝達し、電磁弁Ａ５から適量な水を流す為に要する時間だけタンクに水を供給し、ポンプ３により温水回路２の温水を循環しながら、タンク７ａおよび温水回路２の温水を所定の温度にする。
【００３８】
そして、所定の温度となったタンク７ａの水を、排水管（図示せず）の末端に接続した電磁弁Ｂ６より排水することで、タンク内の菌の繁殖を防ぐ。
【００３９】
このようにして、温水回路２およびタンク７ａの温水を所定の温度にするために適した給水量を制御することができる。
【００４０】
なお、本実施の形態２では、水量検出手段として水位センサ、給水手段として電磁弁Ａ、排水手段として電磁弁Ｂを用いたが、同様の作用効果をもたらすものであれば、これに限るものではない。
【００４１】
（実施の形態３）
図３に示すように、浴室１１に取り付けられ、浴室１１内に排水する排水手段１２を使用するサウナ装置８ｂにおいて、発音部１３（好ましくは圧電ブザー）と、発光部１４（好ましくはＬＥＤ）からなる注意喚起手段１５と、注意喚起手段１５と電気接続した注意喚起制御装置１６と、注意喚起制御装置１６と電気接続した排水手段１２を備え、排水の開始時圧電ブザーの鳴動とＬＥＤの点灯をすることができるサウナ装置８ｂを構成する。
【００４２】
上記構成により、浴室１１に排水を開始する際に、注意喚起制御装置１６により圧電ブザーの鳴動、ＬＥＤの点灯を行ない、使用者に排水を事前に知らせることにより、注意喚起を促し、使用者に水がかかることを抑制することができる。
【００４３】
なお、本実施の形態３では発音部１３と発光部１４からなる注意喚起手段１５としたが、発音部１３のみの注意喚起手段１５、または発光部１４のみの注意喚起手段１５としても同様の作用効果をもたらすことは言うまでもない。
【００４４】
（実施の形態４）
図４に示すように、人検出手段１７（好ましくは焦電型赤外線センサー）と、人検出手段１７と電気接続した人感制御装置１８と、人感制御装置１８と電気接続した排水手段１２ａを備え、人検出手段１７により使用者の有無を検知し、排水の実施を制御できるサウナ装置８ｃを構成する。
【００４５】
上記構成により、浴室１１に排水する際に、人感制御装置１８により、使用者がいる場合は排水を行なわず、使用者に水がかかることを防止することができるサウナ装置８ｃが得られる。
【００４６】
また、本実施の形態４における人感制御装置１８は、実施の形態３における注意喚起制御装置１６に組み入れ、一つの制御装置としても同様な作用効果をもたらすことは言うまでもない。
【００４７】
（実施の形態５）
図５および図６に示すように、排水誘導手段１９は、排水手段１２末端と同等形状の嵌合箇所を有した接続収容部２０と柔軟性を有したひも状の水誘導部２１を備え、水誘導部２１を接続収容部２０の下方に設けられた孔を通して組み付けた構成であり、この排水誘導手段１９を排水手段１２の末端へ嵌合し、タンク７（図示せず）より排水手段１２を介して排出される水を接続収容部２０にて集約しつつ、下方に設けられた孔より水誘導部２１へと流し排水するようにサウナ装置８ｄを構成する。
【００４８】
また、接続収容部２０の嵌合箇所の形状は排水手段１２と嵌合したときに隙間ができない、もしくは、隙間を埋める形状が好ましく、水誘導部２１は浴室１１に設置した際に浴室１１の床までの高さに合わせるような長さ（好ましくは、浴室１１の床より５０ｃｍ上空となる長さから３０ｃｍ床に余る長さ）であり、形状は鎖状、バネ状などで撥水性を有さない材質などを使用したものが好ましい。
【００４９】
上記構成により、排水は排水誘導手段１９を伝わりつつ下方へ移動しながら浴室１１の床まで到達し緩やかに流れるので、水が床に当たる際に発生する衝突音を抑制するとともに水の飛散を抑制し、排水時の騒音減少と浴室１１の美観を保つことができる。
【００５０】
なお、本実施の形態５では、接続収容部２０と水誘導部２１に分離して構成したものを排水誘導手段１９としたが、一体的に設けても、また、排水手段１２の末端構成を同等な機能構成にしても同様の作用効果をもたらすことは言うまでもない。
【００５１】
また、本実施の形態５では、排水誘導手段１９を排水手段１２へ嵌合しサウナ装置８ｄに備えたものとしたが、排水のときのみ随時接続する構成のものや、サウナ装置８ｄの内部へ収納可能な構成としても同様の作用効果をもたらすことは言うまでもない。
【００５２】
（実施の形態６）
図５および図７に示すように、水を保有しつつ下方に設けられた孔より水を流す排水保有部Ａ２２とこの排水保有部Ａ２２を固定する固定部Ａ２３を接続収容部２０に設けられた孔の垂直下方の位置と重なるように配置し、排水保有部Ａ２２に設けられた孔の垂直下方の位置と重なるように配置した排水保有部Ｂ２４とこの排水保有部Ｂ２４を固定する固定部Ｂ２５を排水誘導手段１９に備え、接続収容部２０の孔より水誘導部２１へと排水された水を、排水保有部Ａ２２にて集約しつつ孔から水誘導部２１を介し、排水保有部Ｂ２４へ流し、排水保有部Ｂ２４にて集約しつつ孔から水誘導部２１へと流し排水するようにサウナ装置８ｄを構成する。
【００５３】
上記構成により、排水は排水保有部Ａ２２および排水保有部Ｂ２４にて集約されつつ孔から水誘導部２１へ伝わり、斜め下方へ移動しながら排水誘導手段１９の先端まで到達するので、排水の着水位置を排水手段１２末端の垂直下方以外に設定することが可能となるので、排水の着水位置による施工制限がなく、施工性が高められるとともに、排水の着水箇所を浴槽などに設定することで排水が再利用され水の節約ができる。
【００５４】
なお、本実施の形態６では、排水誘導手段１９に排水保有部Ａ２２と排水保有部Ｂ２４を備えた構成としたが、この排水保有部の数量を増減させて構成しても排水の着水箇所の設定範囲が拡大、縮小するのみで同様の作用効果をもたらすことはいうまでもない。
【００５５】
また、本実施の形態６では、排水保有部Ａ２２と排水保有部Ｂ２４を排水誘導手段１９へ固定するために、固定部Ａ２３と固定部Ｂ２５を備えた構成としたが、排水保有部Ａ２２と排水保有部Ｂ２４それぞれに、固定機能を有した構成としても同様の作用効果をもたらすことはいうまでもない。
【産業上の利用可能性】
【００５６】
高温の温水を短時間で所定の温度にすることにより、温水を触れる可能性のある排水手法において、短時間に安全に排水することができる。
【図面の簡単な説明】
【００５７】
【図１】本発明の実施の形態１のサウナ装置の構成を示すブロック図
【図２】同実施の形態２のサウナ装置の構成を示すブロック図
【図３】同実施の形態３の浴室設置したサウナ装置の構成を示す概略図
【図４】同実施の形態４の浴室設置したサウナ装置の構成を示す概略図
【図５】同実施の形態５と６の浴室設置したサウナ装置の排水手段に取り付けられた排水誘導手段を示す概略図
【図６】同実施の形態５の排水誘導手段の拡大概略図
【図７】同実施の形態６の排水誘導手段の概略図
【図８】従来のサウナ装置の構成を示すブロック図
【符号の説明】
【００５８】
１      加湿部
２      温水回路
３      ポンプ（循環手段）
４      熱交換器
５      電磁弁Ａ（給水手段）
６      電磁弁Ｂ（排水手段）
７      タンク
７ａ    タンク
８      サウナ装置
８ａ    サウナ装置
８ｂ    サウナ装置
８ｃ    サウナ装置
８ｄ    サウナ装置
９      水位センサ（水量検出手段）
１０    制御装置
１１    浴室
１２    排水手段
１２ａ  排水手段
１３    発音部
１４    発光部
１５    注意喚起手段
１６    注意喚起制御装置
１７    人検出手段
１８    人感制御装置
１９    排水誘導手段
２０    接続収容部
２１    水誘導部
２２    排水保有部Ａ
２３    固定部Ａ
２４    排水保有部Ｂ
２５    固定部Ｂ
【図１】
2005245812.tif 000003
【図２】
2005245812.tif 000004
【図３】
2005245812.tif 000005
【図４】
2005245812.tif 000006
【図５】
2005245812.tif 000007
【図６】
2005245812.tif 000008
【図７】
2005245812.tif 000009
【図８】
2005245812.tif 000010